【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
表示手段と、
食事情報を表示及び編集する編集領域を含む入力画面を、前記表示手段に表示させる表示制御手段と、を備え、
前記編集領域は、
前記食事情報を時系列表示する可変表示領域と、
前記可変表示領域内を移動可能に配置され、前記可変表示領域の編集対象日時を選択する日時選択部と、
前記日時選択部により選択された日時における食事の相対量を選択させる相対量選択部と、を有し、
前記食事の相対量は、少なくとも「多目」及び「少な目」を含み、
前記表示制御手段は、前記日時選択部にて選択された前記編集対象日時において、前記相対量選択部にて選択された前記食事の相対量が「多目」である場合には、基準位置に対して一方側にずらして図形を前記可変表示領域に配置し、前記相対量選択部にて選択された前記食事の相対量が「少な目」である場合には、前記基準位置に対して他方側にずらして前記図形を前記可変表示領域に配置することを特徴とする食事情報入力装置。
【請求項２】
請求項１に記載の食事情報入力装置において、
前記食事の相対量は、「普通」を含み、
前記可変表示領域は、日時が設定された時間軸を有し、
前記表示制御手段は、前記相対量選択部にて選択された前記食事の相対量が「普通」である場合には、前記日時選択部にて選択された前記編集対象日時を示す前記時間軸上の位置である前記基準位置に前記図形を配置することを特徴とする食事情報入力装置。
【請求項３】
請求項２に記載の食事情報入力装置において、
前記時間軸は、前記入力画面における一方向に沿って延出し、
前記表示制御手段は、
前記相対量選択部にて選択された前記食事の相対量が「多目」である場合には、前記基準位置に対して前記時間軸に直交する第１方向にずれた位置に前記図形を配置し、
前記相対量選択部にて選択された前記食事の相対量が「少な目」である場合には、前記基準位置に対して前記第１方向とは反対方向にずれた位置に前記図形を配置することを特徴とする食事情報入力装置。
【請求項４】
請求項３に記載の食事情報入力装置において、
前記時間軸は、前記入力画面における水平方向に沿って延出し、
前記表示制御手段は、
前記相対量選択部にて選択された前記食事の相対量が「多目」である場合には、前記基準位置に対して上側に前記図形を配置し、
前記相対量選択部にて選択された前記食事の相対量が「少な目」である場合には、前記基準位置に対して下側に前記図形を配置することを特徴とする食事情報入力装置。
【請求項５】
食事情報を表示及び編集する編集領域を含む入力画面における前記編集領域を表示する際に、前記編集領域に、前記食事情報を時系列表示する可変表示領域と、当該可変表示領域を移動可能に配置され、前記可変表示領域の編集対象日時を選択する日時選択部と、前記日時選択部により選択された日時における食事の相対量を選択させる相対量選択部と、を表示し、
前記日時選択部にて選択された前記編集対象日時において、前記相対量選択部にて選択された前記食事の相対量が「多目」である場合に、基準位置に対して一方側にずらして図形を前記可変表示領域に配置し、前記相対量選択部にて選択された前記食事の相対量が「少な目」である場合に、前記基準位置に対して他方側にずらして前記図形を前記可変表示領域に配置することを特徴とする入力画面表示方法。
【請求項６】
請求項５に記載の入力画面表示方法において、
前記可変表示領域に、日時が設定された時間軸を表示し、
前記相対量選択部にて選択された前記食事の相対量が「普通」である場合に、前記日時選択部にて選択された前記編集対象日時を示す前記時間軸上の位置である前記基準位置に前記図形を配置することを特徴とする入力画面表示方法。
【請求項７】
請求項６に記載の入力画面表示方法において、
前記相対量選択部にて選択された前記食事の相対量が「多目」である場合には、前記基準位置に対して、前記入力画面における一方向に沿って延出した前記時間軸に直交する第１方向にずれた位置に前記図形を配置し、
前記相対量選択部にて選択された前記食事の相対量が「少な目」である場合には、前記基準位置に対して前記第１方向とは反対方向にずれた位置に前記図形を配置することを特徴とする入力画面表示方法。
【請求項８】
請求項７に記載の入力画面表示方法において、
前記入力画面における水平方向に沿って前記時間軸を配置し、
前記相対量選択部にて選択された前記食事の相対量が「多目」である場合に、前記基準位置に対して上側に前記図形を配置し、
前記相対量選択部にて選択された前記食事の相対量が「少な目」である場合に、前記基準位置に対して下側に前記図形を配置することを特徴とする入力画面表示方法。
【請求項９】
コンピューターに、
食事情報を表示及び編集する編集領域を含む入力画面を表示する際に、前記編集領域に、前記食事情報を時系列表示する可変表示領域と、当該可変表示領域を移動可能に配置され、前記可変表示領域の編集対象日時を選択する日時選択部と、前記日時選択部により選択された日時における食事の相対量を選択させる相対量選択部と、を表示させ、
前記日時選択部にて選択された前記編集対象日時において、前記相対量選択部にて選択された前記食事の相対量が「多目」である場合に、基準位置に対して一方側にずらして図形を前記可変表示領域に配置させ、前記相対量選択部にて選択された前記食事の相対量が「少な目」である場合に、前記基準位置に対して他方側にずらして前記図形を前記可変表示領域に配置させることを特徴とする入力画面表示プログラム。
【請求項１０】
請求項９に記載の入力画面表示プログラムにおいて、
前記可変表示領域に、日時が設定された時間軸を表示させ、
前記相対量選択部にて選択された前記食事の相対量が「普通」である場合に、前記日時選択部にて選択された前記編集対象日時を示す前記時間軸上の位置である前記基準位置に前記図形を配置させることを特徴とする入力画面表示プログラム。
【請求項１１】
請求項１０に記載の入力画面表示プログラムにおいて、
前記相対量選択部にて選択された前記食事の相対量が「多目」である場合には、前記基準位置に対して、前記入力画面における一方向に沿って延出した前記時間軸に直交する第１方向にずれた位置に前記図形を配置させ、
前記相対量選択部にて選択された前記食事の相対量が「少な目」である場合には、前記基準位置に対して前記第１方向とは反対方向にずれた位置に前記図形を配置させることを特徴とする入力画面表示プログラム。
【請求項１２】
請求項１１に記載の入力画面表示プログラムにおいて、
前記入力画面における水平方向に沿って前記時間軸を配置させ、
前記相対量選択部にて選択された前記食事の相対量が「多目」である場合に、前記基準位置に対して上側に前記図形を配置させ、
前記相対量選択部にて選択された前記食事の相対量が「少な目」である場合に、前記基準位置に対して下側に前記図形を配置させることを特徴とする入力画面表示プログラム。
【手続補正２】
【補正対象書類名】明細書
【補正対象項目名】発明の名称
【補正方法】変更
【補正の内容】
【発明の名称】食事情報入力装置、入力画面表示方法及び入力画面表示プログラム
【手続補正３】
【補正対象書類名】明細書
【補正対象項目名】０００１
【補正方法】変更
【補正の内容】
【０００１】
本発明は、食事情報入力装置、入力画面表示方法及び入力画面表示プログラムに関する。
【手続補正４】
【補正対象書類名】明細書
【補正対象項目名】０００８
【補正方法】変更
【補正の内容】
【０００８】
本発明は、入力された食事量に応じて図形を設定できる食事情報入力装置、入力画面表示方法及び入力画面表示プログラムを提供することを目的の１つとする。